(57)【要約】  １つの例において、蒸気管理装置のシステムは、部分的に乾燥したインクジェット媒体を、加熱した圧力ローラから受け入れるための媒体誘導部と、部分的に乾燥したインクジェット媒体の第１の部分の上に空気を導くため、および部分的に乾燥したインクジェット媒体の第２の部分から空気を逃がすための、媒体誘導部を貫通する複数のアパーチャと、を含む。
2019534171.tif 000002
【特許請求の範囲】
【請求項１】
部分的に乾燥したインクジェット媒体を、加熱した圧力ローラから受け入れるための、媒体誘導部と、
前記部分的に乾燥したインクジェット媒体の第１の部分の上に空気を導き、前記部分的に乾燥したインクジェット媒体の第２の部分から空気を逃がすために、前記媒体誘導部を貫通する、複数のアパーチャと
を備える、蒸気管理装置。
【請求項２】
前記複数のアパーチャが、空気および前記加熱した圧力ローラによって生成された蒸気を、前記部分的に乾燥したインクジェット媒体の前記第２の部分から逃がす、請求項１に記載の蒸気管理装置。
【請求項３】
前記加熱した圧力ローラが、前記部分的に乾燥したインクジェット媒体から印刷流体を蒸発させることによって蒸気を生成する、請求項２に記載の蒸気管理装置。
【請求項４】
前記媒体誘導部の第１の部分における前記複数のアパーチャに空気を押し通し、前記媒体誘導部の第２の部分を通して空気および蒸気を除去するファンを備える、請求項１に記載の蒸気管理装置。
【請求項５】
前記媒体誘導部が、前記部分的に乾燥したインクジェット媒体を前記複数のアパーチャから分離するために、複数のリブ構造を備える、請求項１に記載の蒸気管理装置。
【請求項６】
部分的に乾燥したインクジェット媒体、および加熱した圧力ローラの蒸気管理装置のシステムであって、
前記部分的に乾燥したインクジェット媒体を、前記加熱した圧力ローラから受け入れるために、媒体通路の第１の側に位置付けられ、空気を前記媒体通路の前記第１の側に導き、前記媒体通路の前記第１の側から逃がすための複数のアパーチャを備える、第１の媒体誘導部と、
前記部分的に乾燥したインクジェット媒体を、前記加熱した圧力ローラから受け入れるために、前記媒体通路の第２の側に位置付けられ、空気を前記媒体通路の前記第２の側に導き、前記媒体通路の前記第２の側から逃がすための複数のアパーチャを備える、第２の媒体誘導部と
を備える、システム。
【請求項７】
前記加熱した圧力ローラから空気を逃がすための、前記加熱した圧力ローラと前記媒体通路の前記第１の側に位置付けられた前記第１の媒体誘導部との間の、第１の熱障壁と、
前記加熱した圧力ローラから空気を逃がすための、前記加熱した圧力ローラと前記媒体通路の前記第２の側に位置付けられた前記第２の媒体誘導部との間の、第２の熱障壁と
を備える、請求項６に記載のシステム。
【請求項８】
前記第１の媒体誘導部の前記複数のアパーチャが、第１の方向に角度が付いたアパーチャの第１の部分と、第２の方向に角度が付いたアパーチャの第２の部分とを備える、請求項６に記載のシステム。
【請求項９】
前記第２の媒体誘導部の前記複数のアパーチャが、前記第２の方向に角度が付いた前記第１の媒体誘導部に対応するアパーチャの第１の部分と、前記第１の方向に角度が付いた前記第１の媒体誘導部に対応するアパーチャの第２の部分とを備える、請求項８に記載のシステム。
【請求項１０】
前記第１の媒体誘導部を通過させて空気を押し出すための、前記媒体通路の前記第１の側における第１のファンと、前記第２の媒体誘導部を通過させて空気を押し出すための、前記媒体通路の前記第２の側における第２のファンとを備える、請求項６に記載のシステム。
【請求項１１】
前記第１のファンが、空気圧を前記第１の媒体誘導部へ、第１のモードで提供し、減圧を前記第１の媒体誘導部へ、第２のモードで提供することができる、請求項１０に記載のシステム。
【請求項１２】
部分的に乾燥したインクジェット媒体、および加熱した圧力ローラの蒸気管理装置のシステムであって、
入力部において、前記部分的に乾燥したインクジェット媒体を受け入れ、出力部において、前記部分的に乾燥したインクジェット媒体を媒体通路に提供する、前記加熱した圧力ローラと、
前記部分的に乾燥したインクジェット媒体を前記加熱した圧力ローラから受け入れるため、前記媒体通路の第１の側に位置付けられた前記出力部に連結される、第１の媒体誘導部と、
前記部分的に乾燥したインクジェット媒体と前記第１の媒体誘導部との間の、第１のアパーチャを通過させて空気を押し出すために、前記第１の媒体誘導部の第１の縁部に連結される、第１のファンと、
前記部分的に乾燥したインクジェット媒体を前記加熱した圧力ローラから受け入れるため、前記媒体通路の第２の側に位置付けられる、第２の媒体誘導部と、
前記部分的に乾燥したインクジェット媒体と前記第２の媒体誘導部との間の、第２のアパーチャを通過させて空気を押し出すために、前記第２の媒体誘導部の第２の縁部に連結される、第２のファンと
を備える、システム。
【請求項１３】
前記第１のファンが第１の熱源に連結され、前記第２のファンが第２の熱源に連結される、請求項１２に記載のシステム。
【請求項１４】
前記第１のアパーチャが、前記第１の媒体誘導部に連結された複数のリブ構造を備え、前記第２のアパーチャが、前記第２の媒体誘導部に連結された複数のリブ構造を備える、請求項１２に記載のシステム。
【請求項１５】
前記第１のファンを、前記部分的に乾燥したインクジェット媒体と前記第１の媒体誘導部との間の前記第１の縁部に連結する、第１のダクトと、
前記第２のファンを、前記部分的に乾燥したインクジェット媒体と前記第２の媒体誘導部との間の前記第２の縁部に連結する、第２のダクトと
を備える、請求項１２に記載のシステム。
【発明の詳細な説明】
【背景技術】
【０００１】
インクジェットプリンタは、印刷可能媒体（例えば紙、プラスチックなど）上にある量の印刷流体を付着させることができる。いくつかの例において、インクジェットプリンタによって付着した印刷流体の小滴が完全に乾燥していないときに、インクジェットプリンタは、印刷媒体にねじれ、および／またはしわを作り出すことがある。いくつかの例において、インクジェットプリンタによって付着した印刷流体の小滴が完全に乾燥していないときに、印刷可能媒体のいくつかの物理的性状が変化することがある。例えば、インクジェットプリンタによって付着した印刷流体の小滴が完全に乾燥していないときに、印刷可能媒体の剛性が変化することがある。ねじれ、しわ、および／または印刷流体の小滴によって変化する他の物理的性状は、最終プロセスを困難にすることがある。
【図面の簡単な説明】
【０００２】
【図１】本開示による蒸気管理装置の、例示的システムを示す図である。
【図２】本開示による蒸気管理装置の、例示的システムを示す図である。
【図３】本開示による蒸気管理装置の、例示的システムを示す図である。
【図４】本開示による蒸気管理装置の、例示的システムを示す図である。
【図５】本開示による加熱した圧力ローラの、例示的システムを示す図である。
【発明を実施するための形態】
【０００３】
蒸気管理装置のいくつかのシステムおよびデバイスを、本明細書で説明する。いくつかの例において、蒸気管理装置のシステムは、部分的に乾燥したインクジェット媒体を、加熱した圧力ローラから受け入れるための媒体誘導部と、部分的に乾燥したインクジェット媒体の第１の部分の上に空気を導くため、および部分的に乾燥したインクジェット媒体の第２の部分から空気を逃がすための、媒体誘導部を貫通する複数のアパーチャと、を含む。本明細書で使用するとき、部分的に乾燥したインクジェット媒体は、媒体上で完全に乾燥していない、インクジェット式印刷デバイスからの印刷流体が適用された媒体を含むことができる。
【０００４】
部分的に乾燥したインクジェット媒体は、積み重ねるとき、位置合わせするとき、および／または仕上げるときに、問題をもたらすことがある。例えば、部分的に乾燥したインクジェット媒体は、ねじれ、しわ、剛性の低下、表面粗さの増加、表面からの繊維の突出、整列していない繊維、および／または媒体のシート間の摩擦など、歪められた性状を有し得る。いくつかの例において、これらの歪められた性状は、媒体上に付着した印刷流体によって、および印刷流体を吸収する媒体によって生じ得る。例えば、印刷流体は、紙などの媒体によって吸収され得る液体状態であってよい。この例において、液体状態の印刷流体は、他の流体が媒体の性状を歪めることがあるのと同様に、歪められた媒体の性状を生じさせることがある。
【０００５】
本明細書で説明する蒸気管理装置は、加熱した圧力ローラの出力部と連結できる。いくつかの例において、加熱した圧力ローラおよび蒸気管理装置は、印刷デバイスの印刷エンジン内に位置付けてもよい。本明細書で使用するとき、印刷デバイスの印刷エンジンは、印刷デバイスの印刷ゾーンを入れた領域を含むことができる。いくつかの例において、印刷ゾーンは、印刷流体が媒体（例えば印刷媒体、紙、プラスチックなど）上に付着する領域を含むことができる。いくつかの例において、加熱した圧力ローラは、熱および／または圧力を、部分的に乾燥したインクジェット媒体に加え、部分的に乾燥したインクジェット媒体に適用された印刷流体の、乾燥および／または蒸発を促進させることができる。いくつかの例において、印刷流体の蒸発を促進することで、加熱した圧力ローラの出力部において、水分、スチーム、および／または蒸気が生成されることがある。
【０００６】
加熱した圧力ローラによって生成された水分、スチーム、および／または蒸気は、印刷エンジン内で凝結を生じさせることがあり、それが印刷デバイスに損傷を、および／または部分的に乾燥したインクジェット媒体に損傷を生じさせ得る。本明細書で説明する蒸気管理装置を利用して、スチームおよび／または水分を制御することができる。例えば、蒸気管理装置を利用して、加熱した圧力ローラの出力部における、部分的に乾燥したインクジェット媒体の媒体通路にわたって、空気を導くことができる。この例において、導かれた空気を利用して、加熱した圧力ローラの出力部および／または印刷エンジンから、水分を取り除くことができる。いくつかの例において、導かれた空気は、加熱した圧力ローラの出力部において、部分的に乾燥したインクジェット媒体を受け入れる媒体誘導部の、複数のアパーチャを通過することができる。本明細書で説明する蒸気管理装置は、加熱した圧力ローラの出力部から水分を除去し、印刷流体の蒸発を促進させることに起因して凝結が発生するのを防ぎ、および／または部分的に乾燥したインクジェット媒体の乾燥を促進させることができる。
【０００７】
本明細書の図面は、初めの数字が図面番号に相当し、残りの数字が図面中の要素または構成要素を識別する、という番号付けの決まり事に従っている。本明細書の様々な図面に示される要素は、本開示のいくつかの追加の例を提供するよう、追加、交換、および／または除去されることが可能であってもよい。さらに、図中に提供される要素の比率および相対的縮尺は、本開示の例を示すことが意図され、限定的な意味として捉えるべきではない。
【０００８】
図１は、本開示による蒸気管理装置の、例示的システム１００を示す。いくつかの例において、システム１００を利用して、システム１００から水分、スチーム、および／または蒸気を除去ことができる。いくつかの例において、システム１００は、加熱した圧力ローラ１０８を含むことができる。いくつかの例において、加熱した圧力ローラ１０８は、圧力ローラおよび加熱したローラを含むことができる。いくつかの例において、加熱した圧力ローラ１０８は、インクジェット印刷デバイスの印刷エンジン内の印刷ゾーンから、部分的に乾燥したインクジェット媒体１０６を受け入れることができる。
【０００９】
いくつかの例において、加熱した圧力ローラ１０８は、第１のローラ１０８−１および第２のローラ１０８−２を含むことができる。いくつかの例において、第１のローラ１０８−１は圧力ローラであってよい。本明細書で使用するとき、圧力ローラを利用して、部分的に乾燥したインクジェット媒体１０６の第１の側に、圧力を加えることができる。いくつかの例において、第１のローラ１０８−１は、接触ゾーンと第２のローラ１０８−２の対応する圧胴とを利用して、部分的に乾燥したインクジェット媒体１０６の第１の側に圧力を加えることができる。いくつかの例において、第２のローラ１０８−２は加熱したローラであってよい。いくつかの例において、加熱したローラは、熱源および／または熱伝導性ベルトを利用して、部分的に乾燥したインクジェット媒体の第２の側に熱を加えることができる。いくつかの例において、第１のローラ１０８−１および第２のローラ１０８−２は、加熱した圧力ローラとして、組み合わせて稼働できる。
【００１０】
いくつかの例において、加熱した圧力ローラ１０８は、部分的に乾燥したインクジェット媒体１０６の乾燥を促進させることができる。本明細書で説明するように、加熱した圧力ローラ１０８は、部分的に乾燥したインクジェット媒体１０６に適用した印刷流体の蒸発を促進させることができる。蒸発が促進されると、加熱した圧力ローラ１０８の出力部において、システム１００を損傷させ得る水分、スチーム、および／または蒸気を生成することがある。いくつかの例において、システム１００は、部分的に乾燥したインクジェット媒体１０６を加熱した圧力ローラ１０８の出力部から受け入れるための、媒体誘導部１０２を含むことができる。いくつかの例において、本明細書で説明するように、媒体誘導部１０２を利用して、水分、スチーム、および／または蒸気を管理することができる。
【００１１】
いくつかの例において、媒体誘導部１０２は、複数のアパーチャ１０４−１、１０４−２を含むことができる。いくつかの例において、複数のアパーチャ１０４−１、１０４−２を利用して、部分的に乾燥したインクジェット媒体１０６上に空気１１０−１を導き、部分的に乾燥したインクジェット媒体１０６から空気１１０−２を逃がすことができる。いくつかの例において、複数のアパーチャ１０４−１、１０４−２を利用して、空気が媒体誘導部１０２の第１の側のアパーチャ１０４−１の中に流入するよう、および、空気が媒体誘導部１０２の第２の側のアパーチャ１０４−２から流出するように、媒体誘導部１０２を通過させて空気を導くことができる。いくつかの例において、空気をアパーチャ１０４−１の中へ入れ、部分的に乾燥したインクジェット媒体１０６上に導くこと、およびアパーチャ１０４−２から逃がすことによって、加熱した圧力ローラ１０８の出力部から、および／または媒体誘導部１０２と部分的に乾燥したインクジェット媒体１０６との間から、水分、スチーム、および／または蒸気を除去することができる。いくつかの例において、導かれる空気流は、空気がアパーチャ１０４−２に導かれるよう、およびアパーチャ１０４−１から逃げるよう、逆にすることができる。
【００１２】
システム１００を利用して、加熱した圧力ローラ１０８の出力部から水分を除去し、部分的に乾燥したインクジェット媒体１０６上で印刷流体の蒸発を促進させることに起因して凝結が発生するのを防ぎ、および／または部分的に乾燥したインクジェット媒体１０６の乾燥を促進させることができる。いくつかの例において、システム１００は印刷エンジンから水分、スチーム、および／または蒸気を除去して、水分、スチーム、および／または蒸気が印刷エンジン内の構成要素を損傷させるのを防止することができる。
【００１３】
図２は、本開示による蒸気管理装置の、例示的システム２００を示す。いくつかの例において、システム２００は、図１で参照したシステム１００と類似の要素を含むことができる。例えば、システム２００は、部分的に乾燥したインクジェット媒体２０６を、加熱した圧力ローラ２０８に提供するための、媒体通路２１４を含むことができる。いくつかの例において、加熱した圧力ローラ２０８は、部分的に乾燥したインクジェット媒体２０６の第１の側を受け入れるための圧力ローラ２０８−１と、部分的に乾燥したインクジェット媒体２０６の第２の側を受け入れるための加熱したローラ２０８−２とを含むことができる。本明細書で説明するように、加熱した圧力ローラ２０８は、部分的に乾燥したインクジェット媒体に適用した印刷流体の蒸発を促進させることができる。蒸発が促進されると、加熱した圧力ローラ２０８の出力部において、システム２００を損傷させる可能性がある水分、スチーム、および／または蒸気を生成することがある。
【００１４】
いくつかの例において、システム２００は、部分的に乾燥したインクジェット媒体２０６の第１の側を受け入れるための第１の媒体誘導部２０２−１と、部分的に乾燥したインクジェット媒体２０６の第２の側を受け入れるための第２の媒体誘導部２０２−２とを含むことができる。いくつかの例において、第１の媒体誘導部２０２−１および第２の媒体誘導部２０２−２は、加熱した圧力ローラ２０８の出力部と連結され得る。いくつかの例において、第１の媒体誘導部２０２−１を利用して、水分、スチーム、および／または蒸気を、部分的に乾燥したインクジェット媒体２０６の第１の側から除去することができる。いくつかの例において、第２の媒体誘導部２０２−２を利用して、水分、スチーム、および／または蒸気を、部分的に乾燥したインクジェット媒体２０６の第２の側から除去することができる。
【００１５】
いくつかの例において、第１の媒体誘導部２０２−１は、部分的に乾燥したインクジェット媒体２０６を複数のアパーチャ２０４−１、２０４−２から分離するために、複数のリブ構造２１６−１を含むことができる。例えば、複数のリブ構造２１６−１は、部分的に乾燥したインクジェット材料が複数のアパーチャ２０４−１、２０４−２を塞ぐのを防止できる。いくつかの例において、複数のリブ構造２１６−１は、部分的に乾燥したインクジェット媒体２０６が、第１の媒体誘導部２０２−１および第２の媒体誘導部２０２−２を通過するときに、部分的に乾燥したインクジェット媒体２０６と接触してもよい。いくつかの例において、第２の媒体誘導部２０２−２は、部分的に乾燥したインクジェット媒体２０６の第２の側に位置付けられた第１の媒体誘導部２０２−１と、同様または類似していてもよい。例えば、第２の媒体誘導部２０２−２は、部分的に乾燥したインクジェット媒体が複数のアパーチャ２０４−３、２０４−４を塞ぐのを防止するために、複数のリブ構造２１６−２を含むことができる。
【００１６】
いくつかの例において、第１の媒体誘導部２０２−１は、部分的に乾燥したインクジェット媒体２０６上に空気２１０−１を導き、部分的に乾燥したインクジェット媒体２０６から空気２１０−２を逃がすことができる。いくつかの例において、複数のアパーチャ２０４−１、２０４−２を利用して、空気が第１の媒体誘導部２０２−１の第１の側のアパーチャ２０４−１の中に流入するよう、および、空気が第１の媒体誘導部２０２−１の第２の側のアパーチャ２０４−２から流出するように、第１の媒体誘導部２０２−１を通過させて空気を導くことができる。いくつかの例において、空気をアパーチャ２０４−１の中へ入れ、部分的に乾燥したインクジェット媒体２０６上に導くこと、およびアパーチャ２０４−２から逃がすことによって、加熱した圧力ローラ２０８の出力部から、および／または第１の媒体誘導部２０２−１と部分的に乾燥したインクジェット媒体２０６の第１の側との間から、水分、スチーム、および／または蒸気を除去することができる。いくつかの例において、導かれる空気流は、空気がアパーチャ２０４−２の中に導かれるよう、およびアパーチャ２０４−１から逃げるよう、逆にすることができる。
【００１７】
同様に、第２の媒体誘導部２０２−２は、部分的に乾燥したインクジェット媒体２０６上に空気２１０−３を導き、部分的に乾燥したインクジェット媒体２０６から空気２１０−４を逃がすことができる。いくつかの例において、複数のアパーチャ２０４−３、２０４−４を利用して、空気２１０−３が第２の媒体誘導部２０２−２の第１の側のアパーチャ２０４−３の中に流入するよう、および、空気２１０−４が第２の媒体誘導部２０２−２の第２の側のアパーチャ２０４−４から流出するように、第２の媒体誘導部２０２−２を通過させて空気を導くことができる。いくつかの例において、空気をアパーチャ２０４−３の中へ入れ、部分的に乾燥したインクジェット媒体２０６上に導くこと、およびアパーチャ２０４−４から逃がすことによって、加熱した圧力ローラ２０８の出力部から、および／または第２の媒体誘導部２０２−２と部分的に乾燥したインクジェット媒体２０６の第２の側との間から、水分、スチーム、および／または蒸気を除去することができる。いくつかの例において、導かれる空気流は、空気がアパーチャ２０４−４の中に導かれるよう、およびアパーチャ２０４−３から逃げるよう、逆にすることができる。
【００１８】
いくつかの例において、システム２００は、第１のファン２１８−１および第２のファン２１８−２を含むことができる。いくつかの例において、第１のファン２１８−１を、システム２００の第２象限（例えばＢ象限など）内に位置付けてもよい。いくつかの例において、第１のファン２１８−１を利用して、空気２１０−２が複数のアパーチャ２０４−２から逃げるよう、複数のアパーチャ２０４−１を通過させて空気２１０−１を導くことができる。すなわち、第１のファン２１８−１は、第２象限（例えばＢ象限）の複数のアパーチャ２０４−１を通過するよう、および第１象限（例えばＡ象限）の複数のアパーチャ１０４−２から逃げるよう導かれた空気圧を、第１の媒体誘導部２０２−１に提供することができる。いくつかの例において、第１のファン２１８−１は、空気が第１象限（例えばＡ象限）の複数のアパーチャ２０４−２を通過するよう、および第２象限（例えばＢ象限）の複数のアパーチャ２０４−１から逃げるよう利用され得る減圧を、提供することができる。いくつかの例において、ファンを追加的または代替的に第１象限（例えばＡ象限）および／または第３象限（例えばＣ象限）に位置付けて、本明細書で説明するように、複数のアパーチャ２０４−１、２０４−２、２０４−３、２０４−４を通過するよう空気を導くことができる。
【００１９】
いくつかの例において、第２のファン２１８−２を、システム２００の第４象限（例えばＤ象限など）内に位置付けてもよい。いくつかの例において、第２のファン２１８−２を利用して、空気が第３象限（例えばＣ象限）の複数のアパーチャ２０４−４から逃げるように、第４象限（例えばＤ象限）の複数のアパーチャ２０４−３を通過するよう空気を導くことができる。すなわち、第２のファン２１８−２は、第４象限（例えばＤ象限）の複数のアパーチャ２０４−３を（例えば強制的に）通過するよう、および第３象限（例えばＣ象限）の複数のアパーチャ２０４−４から逃げるよう導かれた空気圧を、第２の媒体誘導部２０２−２に提供することができる。いくつかの例において、第２のファン２１８−２は、空気が第３象限（例えばＣ象限）の複数のアパーチャ２０４−４を通過するよう、および第４象限（例えばＤ象限）の複数のアパーチャ２０４−３から逃げるよう利用され得る減圧を、提供することができる。
【００２０】
いくつかの例において、システム２００は、第１の熱源２２０−１および／または第２の熱源２２０−２を含むことができる。いくつかの例において、第１の熱源２２０−１は空気通路２１０−１、２１０−２内に位置付けることができ、第２の熱源２２０−２は空気通路２１０−３、２１０−４内に位置付けることができる。いくつかの例において、第１の熱源２２０−１はファン２１８−１に連結することができ、および／または第２の熱源２２０−２はファン２１８−２に連結することができる。いくつかの例において、熱源２２０−１および／または熱源２２０−２を利用して、加熱した空気を、部分的に乾燥したインクジェット媒体２０６の第１の側および／または第２の側に提供することができる。いくつかの例において、提供された熱を利用して、部分的に乾燥したインクジェット媒体２０６の乾燥を促進させることができる。いくつかの例において、第１の熱源２２０−１および／または第２の熱源２２０−２から提供された熱は、水分、スチーム、および／または蒸気をシステム２００から除去する前に凝結が発生するのを、防ぐこともできる。
【００２１】
いくつかの例において、システム２００は、部分的に乾燥したインクジェット媒体２０６の第１の側に第１の熱障壁２１２−１を、かつ部分的に乾燥したインクジェット媒体２０６の第２の側に第２の熱障壁２１２−２を含むことができる。いくつかの例において、第１の熱障壁２１２−１を、加熱した圧力ローラ２０８と第１の媒体誘導部２０２−１との間に位置付けることができる。例えば、第１の熱障壁２１２−１を、圧力ローラ２０８−１と第１の媒体誘導部２０２−１との間に位置付けることができる。いくつかの例において、第１の熱障壁２１２−１は、水分、スチーム、および／または蒸気が、圧力ローラ２０８−１に接触するのを防止することができる。いくつかの例において、第１の熱障壁２１２−１を利用して、第１の媒体誘導部２０２−１の第２の側からの空気２１０−２を、加熱した圧力ローラ２０８（例えば圧力ローラ２０８−１など）から離れるよう導くことができ、それによって空気２１０−２内の水分、スチーム、および／または蒸気を、加熱した圧力ローラ２０８から離してシステム２００から出し、加熱した圧力ローラ２０８が冷えるのを防止する。
【００２２】
いくつかの例において、第２の熱障壁２１２−２を、加熱した圧力ローラ２０８と第２の媒体誘導部２０２−２との間に位置付けることができる。例えば、第２の熱障壁２１２−２を、加熱したローラ２０８−２と第２の媒体誘導部２０２−２との間に位置付けることができる。いくつかの例において、第２の熱障壁２１２−２は、水分、スチーム、および／または蒸気が、加熱したローラ２０８−２に接触するのを防止することができる。いくつかの例において、第２の熱障壁２１２−２を利用して、第２の媒体誘導部２０２−２の第２の側からの空気２１０−４を、加熱した圧力ローラ２０８（例えば加熱したローラ２０８−２など）から離れるよう導くことができ、それによって空気２１０−４内の水分、スチーム、および／または蒸気を、加熱した圧力ローラ２０８から離してシステム２００から出し、加熱した圧力ローラ２０８が冷えるのを防止する。
【００２３】
いくつかの例において、第１の媒体誘導部２０２−１の複数のアパーチャ２０４−１、２０４−２、および複数のアパーチャ２０４−３、２０４−４は、空気を、部分的に乾燥したインクジェット媒体２０６の第１の部分から、部分的に乾燥したインクジェット媒体２０６の第２の部分に導くために、特定の角度を備えることができる。図２に示すように、第１の媒体誘導部２０２−１は、角度の付いたアパーチャを含む第２象限（例えばＢ象限）内の複数のアパーチャ２０４−１の第１の部分を含むことができる。いくつかの例において、本明細書で説明するように、角度の付いたアパーチャは、空気を第２象限（例えばＢ象限）から第１象限（例えばＡ象限）へ導くことができる。いくつかの例において、第１象限内の角度の付いたアパーチャは第１の方向とすることができ、第２象限内の角度の付いたアパーチャは第２の方向とすることができる。いくつかの例において、第１象限内の角度の付いたアパーチャを第１の方向で枢動点２０５−１に向けることができ、第２象限内の角度の付いたアパーチャを第２の方向で枢動点２０５−１に向けることができる。
【００２４】
図２に示すように、第２の媒体誘導部２０２−２は、角度の付いたアパーチャを含む第４象限（例えばＤ象限）内の複数のアパーチャ２０４−３の第１の部分を含むことができる。いくつかの例において、本明細書で説明するように、角度の付いたアパーチャは、空気を第４象限（例えばＤ象限）から第３象限（例えばＣ象限）へ導くことができる。いくつかの例において、第４象限内の角度の付いたアパーチャは第２の方向とすることができ、第３象限内の角度の付いたアパーチャは第１の方向とすることができる。いくつかの例において、第４象限内の角度の付いたアパーチャを第２の方向で枢動点２０５−２に向けることができ、第３象限内の角度の付いたアパーチャを第１の方向で枢動点２０５−２に向けることができる。いくつかの例において、第２象限および第３象限内の角度の付いたアパーチャを、同じ角度とすることができ、第１象限および第４象限内の角度の付いたアパーチャを、同じ角度とすることができる。
【００２５】
システム２００を利用して、水分、スチーム、および／または蒸気を、加熱した圧力ローラ２０８の出力部から除去し、部分的に乾燥したインクジェット媒体２０６上で印刷流体の蒸発を促進させることに起因して凝結が発生するのを防ぎ、および／または部分的に乾燥したインクジェット媒体２０６の乾燥を促進させることができる。いくつかの例において、システム２００は、印刷エンジンから水分、スチーム、および／または蒸気を除去して、水分、スチーム、および／または蒸気が印刷エンジン内の構成要素を損傷させるのを防止することができる。
【００２６】
図３は、本開示による蒸気管理装置の、例示的システム３００を示す。いくつかの例において、システム３００は、圧力ローラ３０８−１および加熱したローラ３０８−２を備える、加熱した圧力ローラの出力部からのシステム３００を示すことができる。本明細書で説明するように、加熱した圧力ローラは、部分的に乾燥したインクジェット媒体３０６に適用した印刷流体の蒸発を促進させることができる加熱した圧力ローラであってよい。いくつかの例において、加熱した圧力ローラの出力部は、いくつかの媒体誘導部（例えば第１の媒体誘導部３０２−１、第２の媒体誘導部３０２−２など）に連結することができる。
【００２７】
本明細書で説明するように、第１の媒体誘導部３０２−１は、部分的に乾燥したインクジェット媒体３０６の第１の側（例えば図３の上側などに示す）を受け入れることができ、第２の媒体誘導部３０２−２は、部分的に乾燥したインクジェット媒体の第２の側（例えば図３の下側などに示す）を受け入れることができる。いくつかの例において、第１の媒体誘導部３０２−１および第２の媒体誘導部３０２−２は、部分的に乾燥したインクジェット媒体３０６に接触するよう位置付けられた複数のリブ構造を含むことができる。いくつかの例において、複数のリブ構造は、リブ構造の先端部と、媒体誘導部に連結されたリブ構造の底部との間に空間を作り出すことができる。
【００２８】
いくつかの例において、複数のリブ構造は、部分的に乾燥したインクジェット媒体３０６の各側（例えば図３に例示した上側、図３に例示した下側など）に、空間または空気通路を作り出すことができる。いくつかの例において、複数のリブ構造によって作り出された空気通路は、ファン（例えばファン３１８−１、３１８−２など）に連結することができる。例えば、ファン３１８−１は、媒体誘導部３０２−２と、部分的に乾燥したインクジェット媒体３０６との間の空気通路における、第４象限（例えばＨ象限）内の第１の縁部に連結することができる。この例において、ファン３１８−１は、空気通路を通して空気３３０−１を提供し、空気通路から空気３３２−１を逃がすことができる。いくつかの例において、第１のダクトを利用して、ファン３１８−１を、部分的に乾燥したインクジェット媒体３０６と媒体誘導部３０２−２との間の第１の縁部に連結することができる。
【００２９】
別の例において、ファン３１８−２は、媒体誘導部３０２−１と、部分的に乾燥したインクジェット媒体３０６との間の空気通路における、第１象限（例えばＥ象限）内の第２の縁部に連結することができる。この例において、ファン３１８−２は、空気通路を通して空気３３０−２を提供し、空気通路から空気３３２−２を逃がすことができる。いくつかの例において、第２のダクトを利用して、ファン３１８−２を、部分的に乾燥したインクジェット媒体３０６と媒体誘導部３０２−１との間の第２の縁部に連結することができる。
【００３０】
いくつかの例において、システム３００は、第１のファン３１８−１に連結された第１の熱源３２０−１と、第２のファン３１８−２に連結された第２の熱源３２０−２とを含むことができる。いくつかの例において、第１のファン３１８−１は、部分的に乾燥したインクジェット媒体３０６にわたって、第１の熱源３２０−１から加熱された空気３３０−１を（例えば強制的になど）もたらすため、および空気３３２−１として逃がすために、空気圧を提供することができる。いくつかの例において、空気３３２−１は、本明細書で説明するように、加熱した圧力ローラによって生成された水分、スチーム、および／または蒸気を含むことがある。いくつかの例において、第２のファン３１８−２は、部分的に乾燥したインクジェット媒体３０６にわたって、熱源３２０−１から加熱された空気３３０−２をもたらすため、および空気３３２−２として逃がすために、空気圧を提供することができる。いくつかの例において、空気３３２−２は、本明細書で説明するように、加熱した圧力ローラによって生成された水分、スチーム、および／または蒸気を含むことがある。
【００３１】
他の例において、第１のファン３１８−１は、空気３３２−１の方向を逆転させるために減圧をもたらすことができ、それによって空気３３２−１は第３象限（例えばＧ象限）から第４象限（例えばＨ象限）に流れる。別の例において、第２のファン３１８−２は、空気３３２−２の方向を逆転させるために減圧をもたらすことができ、それによって空気３３２−２は第２象限（例えばＦ象限）から第１象限（例えばＥ象限）に流れる。
【００３２】
図４は、本開示による蒸気管理装置の、例示的システム４００を示す。いくつかの例において、システム４００は、複数のアパーチャ４０４−１を含む第１の媒体誘導部４０２−１を含むことができる。いくつかの例において、複数のアパーチャ４０４−１によって、空気が複数のリブ構造４４０−１を通過できる。本明細書で説明するように、第１の媒体誘導部４０２−１は、圧力ローラ４０８−１および加熱したローラ４０８−２を含む、加熱した圧力ローラ４０８の出力部に連結できる。
【００３３】
いくつかの例において、システム４００は、空気４１６−１を複数のアパーチャ４０４−１の中に導くために、第１のダクト４４２−１を含むことができる。いくつかの例において、空気４１６−１は第１の媒体誘導部４０２−１を通過し、空気４１６−２は複数のリブ構造４４０−１を通過して逃げることができる。いくつかの例において、空気４１６−２は、第１の媒体誘導部４０２−１の複数のリブ構造４４０−１と、第２の媒体誘導部４０２−２の複数のリブ構造４４０−２との間を通る、部分的に乾燥したインクジェット媒体の上を通過できる。いくつかの例において、空気４１６−２を利用して、水分、スチーム、および／または蒸気を、部分的に乾燥したインクジェット媒体の第１の側から除去することができる。本明細書で説明するように、空気４１６−１を、本明細書で説明するファンを利用して複数のアパーチャ４０４−１の中に押し入れることができる。いくつかの例において、本明細書で説明するように、ファンを利用して減圧を作り出し、空気４１６−２を複数のリブ構造４４０−１の中に押し入れ、空気４１６−１を複数のアパーチャ４０４−１から押し出すこともできる。
【００３４】
いくつかの例において、システム４００は、第２の媒体誘導部４０２−２の複数のアパーチャ４０４−２を通過させて空気４１６−３を導くために、第２のダクト４４２−２を含むことができる。いくつかの例において、空気４１６−３は複数のアパーチャ４０４−２を通過するよう導かれてよく、空気４１６−４は複数のリブ構造４４０−２を通過して逃げることができる。いくつかの例において、空気４１６−４は、第１の媒体誘導部４０２−１の複数のリブ構造４４０−１と、第２の媒体誘導部４０２−２の複数のリブ構造４４０−２との間を通る、部分的に乾燥したインクジェット媒体の上を通過できる。いくつかの例において、空気４１６−４を利用して、水分、スチーム、および／または蒸気を、部分的に乾燥したインクジェット媒体の第２の側から除去することができる。本明細書で説明するように、空気４１６−３を、本明細書で説明するファンを利用して複数のアパーチャ４０４−２の中に押し入れることができる。いくつかの例において、本明細書で説明するように、ファンを利用して減圧を作り出し、空気４１６−４を複数のリブ構造４４０−２の中に押し入れ、空気４１６−３を複数のアパーチャ４０４−２から押し出すこともできる。
【００３５】
いくつかの例において、空気４１６−１は複数のアパーチャ４０４−１を通過することができ、空気４１６−１の一部は、加熱した圧力ローラ４０８に向けて導かれてよい。いくつかの例において、空気４１６−１の一部は、水分、スチーム、および／または蒸気を、加熱した圧力ローラ４０８から除去することができる。いくつかの例において、空気４１６−３は複数のアパーチャ４０４−２を通過することができ、空気４１６−３の一部は、加熱した圧力ローラ４０８に向けて導かれてよい。いくつかの例において、空気４１６−３の一部は、水分、スチーム、および／または蒸気を、加熱した圧力ローラ４０８から除去することができる。
【００３６】
システム４００を利用して、水分、スチーム、および／または蒸気を、加熱した圧力ローラ４０８の出力部から除去し、部分的に乾燥したインクジェット媒体上で印刷流体の蒸発を促進させることに起因して凝結が発生するのを防ぎ、および／または、複数のリブ構造４４０−１、４４０−２の間を通る、部分的に乾燥したインクジェット媒体の乾燥を、促進させることができる。いくつかの例において、システム４００は印刷エンジンから水分、スチーム、および／または蒸気を除去して、水分、スチーム、および／または蒸気が印刷エンジン内の構成要素を損傷させるのを防止することができる。
【００３７】
図５は、本開示による加熱した圧力ローラの、例示的システム５０８を示す。いくつかの例において、システム５０８を、部分的に乾燥したインクジェット媒体５０６の調整器の構成要素として利用することができる。いくつかの例において、システム５０８は、部分的に乾燥したインクジェット媒体５０６の第１の側に圧力を加え、かつ部分的に乾燥したインクジェット媒体５０６の第２の側に熱を加えることができる。いくつかの例において、システム５０８は、部分的に乾燥したインクジェット媒体５０６に適用した印刷流体の乾燥および／または蒸発を促進させることができる。
【００３８】
いくつかの例において、システム５０８は、システム５０８の入力部（例えば図５を参照すると、左側に示す）において、部分的に乾燥したインクジェット媒体５０６を受け入れることができる。いくつかの例において、システム５０８は、部分的に乾燥したインクジェット媒体５０６の第１の側（例えば図５を参照すると、上側に示す）に、圧力を加えるため、圧力ローラ５０８−１を含むことができる。いくつかの例において、圧力ローラ５０８−１は接触ゾーン５５０を含むことができる。接触ゾーン５５０は、部分的に乾燥したインクジェット媒体５０６の第１の側と相互作用する、圧力ローラ５０８−１上の領域であってよい。いくつかの例において、接触ゾーン５５０は、加熱したローラ５０８−２内に位置付けられた圧胴５５４に対応してもよい。
【００３９】
いくつかの例において、加熱したローラ５０８−２は、部分的に乾燥したインクジェット媒体５０６の第２の側（例えば図５を参照すると、下側に示す）に、熱を加えることができる。いくつかの例において、加熱したローラ５０８−２は熱源５５８を含むことができる。いくつかの例において、熱源５５８はハロゲン熱源を含むことができる。いくつかの例において、熱源５５８は、熱伝導性ベルト５５６に伝える熱を生成することができる。いくつかの例において、熱伝導性ベルト５５６は加熱したローラ５０８−２の周りを回転し、かつ圧胴５５４内で、部分的に乾燥したインクジェット媒体５０６の第２の側と接触することができる。
【００４０】
上記の明細書、例、およびデータは、本開示の方法および用途の説明、ならびにシステムおよび方法の使用を提供する。多くの例が、本開示のシステムおよび方法の趣旨、ならびに範囲から逸脱することなく成され得るので、この明細書は、多くの考えられる構成例および実施例のうちのいくつかを説明したに過ぎない。
【図１】
2019534171.tif 000003
【図２】
2019534171.tif 000004
【図３】
2019534171.tif 000005
【図４】
2019534171.tif 000006
【図５】
2019534171.tif 000007
【国際調査報告】
2019534171.tif 000008